(57)【要約】【課題】設置が容易で衛生面でも優れたドアストッパーを提供する。【解決手段】ドアストッパー１は、ドアを係止するために床面に設置される。ドアストッパー１は、凸状に湾曲する湾曲面１１を含む本体部１０と、湾曲面１１が突出する方向と反対向きの突出方向Ｊに本体部１０から突出する円柱部２１とを備える。湾曲面１１は、床面とドアのドア面との双方に対して接触可能であり、突出方向Ｊが鉛直方向に一致する基準状態において水平面に接触する第１の接触部１３を含む。また、ドアストッパー１は、第１の接触部１３を通り突出方向Ｊに延びる中心線Ｑ１上であって、かつ、突出方向Ｊが鉛直方向Ｊに対して傾斜した傾斜状態から基準状態に復帰するように作用する位置に重心Ｍを有する。【選択図】図３
2018204305.tif 000002
【特許請求の範囲】
【請求項１】
ドアを係止するために床面に設置されるドアストッパーにおいて、
凸状に湾曲する湾曲面を含む本体部と、
前記湾曲面が突出する方向と反対向きの突出方向に前記本体部から突出する第１の付加部材と
を備え、
前記湾曲面は、前記床面と前記ドアのドア面との双方に対して接触可能であり、前記突出方向が鉛直方向に一致する基準状態において水平面に接触する第１の接触部を含み、
前記第１の接触部を通り前記突出方向に延びる第１の直線上であって、かつ、前記突出方向が前記鉛直方向に対して傾斜した傾斜状態から前記基準状態に復帰するように作用する位置に重心を有する、
ドアストッパー。
【請求項２】
前記湾曲面は、前記傾斜状態において前記水平面に接触する第２の接触部をさらに含み、
前記傾斜状態において前記第２の接触部を通り前記鉛直方向に延びる第２の直線を規定した場合に、前記重心は、前記第１の直線と前記第２の直線との交点と、前記第１の接触部とを結ぶ前記第１の直線の線分上に位置している、
請求項１に記載のドアストッパー。
【請求項３】
前記湾曲面は、前記基準状態にあるときに前記鉛直方向に延びる軸に対して軸対称となる形状を有する、請求項１又は２に記載のドアストッパー。
【請求項４】
前記湾曲面が球面の一部である、請求項３に記載のドアストッパー。
【請求項５】
前記第１の付加部材は、前記本体部の最大膨出部よりもさらに外側に張り出し、かつ前記湾曲面に比べて前記ドア面に対して小さな摩擦力を呈するように形成されている、請求項１から４のいずれか一項に記載のドアストッパー。
【請求項６】
前記本体部は、
前記湾曲面を有する基底部と、
前記基底部と前記第１の付加部材との双方に接続される基板と
を含み、
前記基板は、前記基底部の最大膨出部よりもさらに外側に張り出し、かつ前記湾曲面に比べて前記ドア面に対して小さな摩擦力を呈するように形成されている、
請求項１から４のいずれか一項に記載のドアストッパー。
【請求項７】
前記基板と前記第１の付加部材とが一体的に成形されている、請求項６に記載のドアストッパー。
【請求項８】
前記突出方向に垂直な方向に沿って前記第１の付加部材から互いに反対側に延びる１対の突出部をさらに含む、請求項１から７のいずれか一項に記載のドアストッパー。
【発明の詳細な説明】
【技術分野】
【０００１】
本発明は、ドアストッパーに係り、特にドアを任意の位置に係止することが可能なドアストッパーに関するものである。
【背景技術】
【０００２】
従来このようなドアストッパーとして、例えば特許文献１に記載されるようなドアストッパーが知られている。図１に示すように、このようなドアストッパー９００は、球形部材９１０と、球形部材９１０を収容する収容体９２０とを備えている。球形部材９１０は、床面やドア面に対して大きな摩擦力を呈する材料で形成されている。したがって、球形部材９１０が床面とドア面との双方に接触した場合には、この摩擦力から生じる反発力によってドアが押し留められて係止される。一方、収容体９２０は、球形部材９１０に比べて小さな摩擦力を呈する材料で形成されている。また、収容体９２０の各面には、球形部材９１０の一部が露出することができるように、球形部材９１０の直径よりも小さな直径を有する開口部９２１が形成されている。
【０００３】
このような構成によれば、ドアストッパー９００がドアに押された際に、収容体９２０は床面に対して移動するのに対し、球形部材９１０は床面に対して殆ど動かない。したがって、ドアがドアストッパー９００に接触した最初の段階で球形部材９１０に接触しない場合（すなわち、最初に接触するのが収容体９２０である場合）でも、収容体９２０がドアに押されることよって球形部材９１０に対して後退する結果、最終的には、開口部９２１の１つから球形部材９１０の一部が露出してドア面と接触する。その結果、ドアがその場に押し留められて係止される。このように、ドアストッパー９００によれば、ドアストッパー９００がドアに対してどのような方向を向いていてもドアを係止することができるため、適切な位置に設置するためにわざわざ屈んだりする手間が省かれ、優れた設置容易性が実現される。
【０００４】
しかしながら、このようなドアストッパー９００においては、ドアストッパー９００を設置又は撤去する際に、床面やドア面の塵や埃が付着した収容体９２０を直接把持する必要があるため、衛生上問題がある。
【先行技術文献】
【特許文献】
【０００５】
【特許文献１】特開２０１７−０６１８１２号公報
【発明の概要】
【発明が解決しようとする課題】
【０００６】
本発明は、このような従来技術の問題点に鑑みてなされたもので、設置が容易で衛生面でも優れたドアストッパーを提供することを目的とする。
【課題を解決するための手段】
【０００７】
本発明の第１の態様によれば、設置が容易で衛生面でも優れたドアストッパーが提供される。このドアストッパーは、ドアを係止するために床面に設置されるものである。このドアストッパーは、凸状に湾曲する湾曲面を含む本体部と、上記湾曲面が突出する方向と反対向きの突出方向に上記本体部から突出する第１の付加部材とを備える。そして、上記湾曲面は、上記床面と上記ドアのドア面との双方に対して接触可能であり、上記突出方向が鉛直方向に一致する基準状態において水平面に接触する第１の接触部を含んでいる。また、このドアストッパーは、上記第１の接触部を通り上記突出方向に延びる第１の直線上であって、かつ、上記突出方向が上記鉛直方向に対して傾斜した傾斜状態から上記基準状態に復帰するように作用する位置に重心を有している。
【０００８】
このように、本発明に係るドアストッパーは、第１の接触部を通り突出方向に延びる第１の直線上であって、かつ、傾斜状態から基準状態に復帰するように作用する位置に重心を有しているため、ドアストッパーが傾いた場合でもいわゆる起き上がりこぼしのように動作して基準状態に復帰する。すなわち、このドアストッパーによれば、使用者が体を屈めることなく床面に放り投げたような場合でも自動的に基準状態になるため、使用者は、ドアストッパーを適切に設置するためにわざわざ体を屈める必要がなく、設置容易性に優れている。
【０００９】
また、このドアストッパーは、湾曲面が突出する方向と反対側に突出する付加部材を備えていることにより、使用者は、ドアストッパーを設置又は撤去する際にこの付加部材を把持することで、床面やドア面の塵や埃が付着した本体部に触れずに済むため、衛生面にも優れている。
【００１０】
ここで、上記湾曲面は、上記傾斜状態において上記水平面に接触する第２の接触部をさらに含んでもよい。この場合において、上記傾斜状態において上記第２の接触部を通り上記鉛直方向に延びる第２の直線を規定した場合に、上記重心は、上記第１の直線と上記第２の直線との交点と、上記第１の接触部とを結ぶ上記第１の直線の線分上に位置していることが好ましい。また、上記湾曲面は、上記基準状態にあるときに上記鉛直方向に延びる軸に対して軸対称となる形状を有することがさらに好ましい。これにより、自動的に基準状態に復帰するようにドアストッパーを構成することが容易になる。そして、このようにドアストッパーを構成するために、上記湾曲面を球面の一部としてもよい。
【００１１】
ところで、上記第１の付加部材は、上記本体部の最大膨出部よりもさらに外側に張り出し、かつ上記湾曲面に比べて上記ドア面に対して小さな摩擦力を呈するように形成されてもよい。このような構成により、湾曲面の特定の箇所のみに繰り返し床面が接触し、当該箇所が摩耗したり、当該箇所に塵や埃が付着したりすることが防止されるため、ドア係止効果が長期にわたって保たれる。
【００１２】
また、上記本体部は、上記湾曲面を有する基底部と、上記基底部と上記第１の付加部材との双方に接続される基板とを含んでもよい。この場合において、上記基板は、上記基底部の最大膨出部よりもさらに外側に張り出し、かつ上記湾曲面に比べて上記ドア面に対して小さな摩擦力を呈するように形成される。このような構成により、湾曲面の特定の箇所のみに繰り返し床面が接触し、当該箇所が摩耗したり、当該箇所に塵や埃が付着したりすることが防止されるため、ドア係止効果が長期にわたって保たれる。
【００１３】
なお、上記基板と上記第１の付加部材とを一体的に成形してもよい。これにより、ドアストッパーの製造コストが低減される。
【００１４】
なお、ドアストッパーは、上記突出方向に垂直な方向に沿って上記第１の付加部材から互いに反対側に延びる１対の突出部をさらに含んでもよい。このような構成により、ドアストッパーの設置容易性がより高まる。
【発明の効果】
【００１５】
本発明に係るドアストッパーは、第１の接触部を通り突出方向に延びる第１の直線上であって、かつ、傾斜状態から基準状態に復帰するように作用する位置に重心を有していることにより、傾斜状態にあるドアストッパーが自動的に基準状態に復帰するため、設置容易性に優れている。また、湾曲面が突出する方向と反対側に突出する付加部材を備えていることにより、この付加部材を把持してドアストッパーを設置又は撤去することができるため、衛生面にも優れている。このように、本発明によれば、設置が容易で衛生面でも優れたドアストッパーを提供できるという効果がある。
【図面の簡単な説明】
【００１６】
【図１】図１は、従来のドアストッパーを示す斜視図である。
【図２】図２は、本発明の第１の実施形態におけるドアストッパーを示す斜視図である。
【図３】図３は、図２に示すドアストッパーの縦断面図であり、図２のドアストッパーの基準状態を示す図である。
【図４】図４は、図２に示すドアストッパーの縦断面図であり、図２のドアストッパーの傾斜状態を示す図である。
【図５】図５は、図２のドアストッパーの作用を示す模式図である。
【図６】図６は、本発明の第２の実施形態におけるドアストッパーを示す斜視図である。
【図７】図７は、図６のドアストッパーの作用を示す模式図である。
【図８】図８は、図６のドアストッパーの作用を示す模式図である。
【図９】図９は、本発明の第３の実施形態におけるドアストッパーを示す斜視図である。
【図１０】図１０は、図９に示すドアストッパーの縦断面図である。
【発明を実施するための形態】
【００１７】
以下、本発明に係るドアストッパーの実施形態について図２から図１０を参照して詳細に説明する。なお、図２から図１０において、同一又は相当する構成要素には、同一の符号を付して重複した説明を省略する。また、図２から図１０においては、各構成要素の縮尺や寸法が誇張されて示されている場合や一部の構成要素が省略されている場合がある。
【００１８】
図２は本発明の第１の実施形態におけるドアストッパー１を模式的に示す斜視図、図３は図２に示されるドアストッパー１の縦断面図である。図２に示すように、ドアストッパー１は、本体部１０と、本体部１０から突出する持ち手２０（付加部）とを備えている。図３に示す断面において、ドアストッパー１は、全体として中心線Ｑ１に対して線対称の外形を有している。ドアストッパー１のうち特に本体部１０は、図２及び図３に示すように、凸状の湾曲面１１（半球面）と平面１２とを含む半球形の外形をなして中心線Ｑ１に対して軸対称に形成されている。
【００１９】
図２及び図３に示すように、持ち手２０は、円柱部２１（第１の付加部材）と、円柱部２１の上方に接続された１対の突出部２２，２２（第２の付加部材）とを含んでいる。円柱部２１は、本体部１０の平面１２の中心Ｃから、湾曲面１１が突出する方向と反対の方向であってかつ平面１２に垂直な方向（突出方向Ｊ）に突出している。また、突出部２２，２２は、突出方向Ｊに垂直な方向（平面１２と平行な方向）に沿って円柱部２１から互いに反対側に延びている。
【００２０】
本体部１０は、例えば、ポリブタジエンゴム、エチレンプロピレンジエンモノマー（ＥＰＤＭ）、又はこれらの組み合わせからなり、およそ半径３０ｍｍの寸法及びおよそ６０ｇの重量に形成されている。一方、持ち手２０は、例えば、エチレン−酢酸ビニル共重合樹脂（ＥＶＡ）や中空成形したポリエチレン樹脂などからなり、およそ１００ｍｍの突出方向Ｊの長さ及びおよそ５ｇの重量に形成されている。すなわち、持ち手２０は、本体部１０に比べて極めて軽量に形成されている。
【００２１】
このように、ドアストッパー１は、中心線Ｑ１に対して線対称になるように、かつ持ち手２０が本体部１０に比べて軽量になるように形成されている。そして、図３に示すように、ドアストッパー１は、中心線Ｑ１上であってかつ本体部１０の内側に重心Ｍを有している。
【００２２】
次に、このようなドアストッパー１が床面に設置された場合の動作について説明する。なお、本明細書において床面とは、床に絨毯などの敷物が敷かれている場合には、そのような敷物の表面を言うものとする。
【００２３】
まず、突出方向Ｊと鉛直方向とを一致させるようにドアストッパー１を水平な床面Ｕ（水平面）に静置した場合を考える。この状態は、図３に示すように、持ち手２０が鉛直方向に突出している状態である。この状態では、重心Ｍが位置する中心線Ｑ１が鉛直方向に延びているため、ドアストッパー１はこの状態から動かない。すなわち、突出方向Ｊと鉛直方向とが一致した状態（基準状態）が維持される。この基準状態においては、湾曲面１１の先端部１３（第１の接触部）が床面Ｕに接触している。
【００２４】
次に、突出方向Ｊが鉛直方向に対して傾斜するように（すなわち、図４に示すように）ドアストッパー１を傾けた場合（傾斜状態）を考える。この傾斜状態では、ドアストッパー１は、図３の基準状態から左側に傾斜しており、湾曲面１１のうち先端部１３とは異なる部分１４（第２の接触部）において床面Ｕと接触している。この状態において、第２の接触部１４を通り鉛直方向に延びる直線Ｑ２（第２の直線）を規定すると、図４からは、重心Ｍが、中心線Ｑ１と直線Ｑ２との交点Ｎと、湾曲面１１の先端部１３とを結ぶ中心線Ｑ１の線分上に位置しており、直線Ｑ２の右側に偏っていることがわかる。ここで、ドアストッパー１が床面Ｕに接触する面は床面Ｕに対して凸となる曲面（湾曲面１１）になっているため、図４の傾斜状態にあるドアストッパー１は、重心Ｍの作用により、いわゆる起き上がりこぼしのように動作して図３の基準状態に復帰する。
【００２５】
より具体的には、図４に示すように、傾斜状態にあるドアストッパー１の重心Ｍには重力Ｇが作用しているが、この重力Ｇは、重心Ｍから第２の接触部１４に向かって作用する力と、この力に垂直な方向に作用する力Ｆ１とに分解される。そして、この力Ｆ１によって第２の接触部１４を中心とする右回りのモーメントＴ１がドアストッパー１に作用する結果、ドアストッパー１は、湾曲面１１を床面Ｕに接触させつつ右側に回動し、最終的に図３に示す基準状態に復帰する。そして、このように、ドアストッパー１は湾曲面１１を床面Ｕに接触させつつ回動するため、傾斜状態から基準状態に復帰するまでの間に持ち手２０が床面Ｕに接触することはない。
【００２６】
次に、図３の基準状態にあるドアストッパー１にドアが接触した場合を考える。上述のように、この状態では、ドアストッパー１は湾曲面１１の先端部１３において床面Ｕに接触している。図５に示すように、ドアストッパー１は、ドア接触部１５においてドア面９１に接触しており、左側に向かってドア９０からの力Ｐを受けている。この力Ｐは、ドア接触部１５から先端部１３に向かって作用する力と、この力に垂直な方向に作用する力Ｆ２とに分解することができるが、この力Ｆ２によって、ドアストッパー１は、先端部１３を中心とする左回りのモーメントＴ２を受ける。しかしながら、上述のように、本体部１０は、ポリブタジエンゴムなどの材料で形成されることによりドア面９１や床面Ｕに対して大きな摩擦力を呈するため、ドア９０はドアストッパー１によってその場に押し留められて係止される。
【００２７】
この点について、図５を参照してより詳細に説明する。上述のように、ドアストッパー１は、左側に向かってドアからの力Ｐを受けている。しかしながら、ドアストッパー１の本体部１０には、この力Ｐに対して床面Ｕから大きな摩擦力Ｒ１、すなわち、力Ｐよりも大きな摩擦力Ｒ１が右側に作用する。したがって、ドアストッパー１が図５の状態から左側に移動してしまうことが妨げられる。また、上述のように、ドアストッパー１は、先端部１３を中心とする左回りのモーメントＴ２を受ける。しかしながら、ドアストッパー１は、ドア接触部１５においてドア面９１と接触しているため、ドア９０から大きな摩擦力Ｒ２を鉛直方向下向きに受ける。そのため、ドアストッパー１がモーメントＴ２によって左回りに回動してしまうことが妨げられる。このように、ドアストッパー１はドア９０に押されても移動することも回動することもないため、ドア９０は、ドアストッパー１によってその場に押し留められて係止される。
【００２８】
なお、この場合において、持ち手２０は平面１２の外周縁から径方向内側に位置しているため、持ち手２０がドア９０のドア面９１に接触することはない。
【００２９】
以上のように、本実施形態によれば、基準状態にあるドアストッパー１によってドア９０をその位置に押し留めて係止することができる。また、使用者がドアストッパー１を設置するために（体を屈めることなく）ドアストッパー１を床面に放り投げ、ドアストッパー１が横倒し（傾斜状態）になった場合でも、ドアストッパー１は起き上がりこぼしのように自動的に基準状態になるため、ドアストッパーを適切に設置するためにわざわざ屈む手間を省くことができる。このように、本実施形態に係るドアストッパー１は設置容易性に優れている。
【００３０】
さらに、本実施形態におけるドアストッパー１は、床面やドア面に接触しないように構成された持ち手２０を備えている。したがって、使用者は、持ち手２０を把持することで湾曲面１１に付着した床面やドア面の塵や埃に触れず済むため、ドアストッパー１は衛生面においても優れている。
【００３１】
加えて、本実施形態に係るドアストッパー１は、突出方向Ｊと垂直な方向に沿って円柱部２１から互いに反対側に延びる１対の突出部２２，２２（第２の付加部材）を有している。したがって、使用者は、これら突出部２２，２２に指を引っ掛けることで容易にドアストッパー１を撤去することができる。このように、ドアストッパー１によれば、より優れた設置容易性が発揮される。なお、このような突出部を設けない場合でも、円柱部（第１の付加部材）を把持することで容易にドアストッパー１を撤去できることは言うまでもない。
【００３２】
ところで、図５を参照すると、上述のドアストッパー１においては、ドアストッパー１のうち湾曲面１１の一部（図５におけるドア接触部１５）が最初にドア９０に接触することがわかる。すなわち、ドアストッパー１と床面Ｕとの間と、ドアストッパー１とドア面９１との間のそれぞれには、ドア９０が最初に接触した時点で大きな摩擦力が作用することになるため、ドアストッパー１は、図３の基準状態からほとんど動くことなく（すなわち、湾曲面１１の先端部１３が床面に接触した状態で）、ドア９０を押し留めて係止する。このように、ドアストッパー１のような構成では、常に先端部１３が床面Ｕに接触した状態になっているため、先端部１３が摩耗したり、先端部１３に床面の塵や埃が繰り返し付着したりしてしまい、先端部１３の摩擦力が低下してしまうおそれがある。このように先端部１３の摩擦力が低下した場合には、満足なドア係止効果を得られない。そこで、このような問題を解決するために、例えば、本発明の第２の実施形態におけるドアストッパー２０１を構成してもよい。
【００３３】
ここで、図６はドアストッパー２０１を模式的に示す斜視図、図７はドアストッパー１の動作を示す正面図である。図６及び図７に示すように、ドアストッパー２０１は、本体部２１０と、本体部２１０から突出方向Ｊに突出する持ち手２０とを備えている。本体部２１０は、湾曲面１１（半球面）と平面１２とを含む半球状の基底部２７０と、基底部２７０の平面１２に接着材などで固定された円板状の基板２３０とを含んでいる。基底部２７０は、例えば、ポリブタジエンゴム、エチレンプロピレンジエンモノマー（ＥＰＤＭ）、又はこれらの組み合わせからなり、およそ３０ｍｍの半径及びおよそ６０ｇの重量に形成されている。このような構成により、基底部２７０は、ドアストッパー１の本体部１０と同様に、床面Ｕやドア面９１に対して大きな摩擦力を呈するようになっている。
【００３４】
図６及び図７に示すように、ドアストッパー２０１の基板２３０は、基底部２７０の最大膨出部である平面１２よりも大きな半径（例えば、およそ３２．５ｍｍの半径）と、およそ５ｍｍの突出方向Ｊにおける長さ（厚み）を有しており、平面１２と同心になるように平面１２に接着材などで固定されている。すなわち、基板２３０は、平面１２の外側に張り出すように平面１２に固定されている。そして、この基板２３０の上面２３１の中心からは、およそ５ｇの重量を有する持ち手２０が突出方向Ｊに突出している。このようなドアストッパー２０１は、ドアストッパー１と同様に、縦断面における中心線Ｑ１に対して線対称に形成されている。
【００３５】
以上のように、ドアストッパー２０１は、中心線Ｑ１に対して線対称の外形となるように、かつ、持ち手２０が基底部２７０（本体部２１０）に比べて軽量になるように形成されている。そして、ドアストッパー２０１は、ドアストッパー１と同様に、中心線Ｑ１上であって基底部２７０の内側に重心Ｍを有している（図３参照）。このような構成により、ドアストッパー２０１は、ドアストッパー１と同様に起き上がりこぼしのように動作する。
【００３６】
ところで、ドアストッパー２０１の基板２３０は、基底部２７０と比較して床面Ｕやドア面９１に対して小さな摩擦力を呈するように、例えば、エチレン−酢酸ビニル共重合樹脂（ＥＶＡ）などから形成される。このような小さな摩擦力を呈する基板２３０を備えることにより、ドアストッパー２０１によれば、以下の作用及び効果を得ることができる。
【００３７】
まず、ドアストッパー２０１を使用するために、使用者が（体を屈めることなく）ドアストッパー２０１を床面に放り投げたとする。これにより、ドアストッパー２０１は傾斜して横倒しの状態になるが、ドアストッパー１と同様に起き上がりこぼしのように起き上がり、図７に示す基準状態となる。なお、この基準状態においては、基底部２７０の湾曲面１１の先端部１３（第１の接触部）が床面Ｕに接触している。
【００３８】
次に、基準状態にあるドアストッパー２０１がドア９０に押された場合の動作について説明する。図７に示すように、ドアストッパー２０１は基底部２７０の外側に張り出す基板２３０を備えているため、ドア９０は、最初に基板２３０の外縁部２３２に接触することとなる。より具体的には、ドア９０は、外縁部２３２のドア接触部２３２Ａにおいて基板２３０に接触する。ここで、基板２３０は、ドア９０のドア面９１に対して相対的に小さな摩擦力（基底部２７０と比較して小さな摩擦力）しか呈さないため、ドアストッパー２０１は以下のように動作する。
【００３９】
図７に示すように、ドアストッパー２０１は、左側に向かってドア９０からの力Ｐを受けているが、床面Ｕに接触する湾曲面１１の先端部１３を介して大きな摩擦力Ｒ１（すなわち、力Ｐよりも大きな摩擦力Ｒ１）を床面Ｕから受けるため、左側に移動することが妨げられる。しかしながら、図７に示すように、ドア９０からの力Ｐは、ドア接触部２３２Ａから先端部１３に向かって作用する力と、この力に垂直な方向に作用する力Ｆ３に分解できるところ、この力Ｆ３によって、ドアストッパー２０１は先端部１３を中心とする左回りのモーメントＴ３を受ける。このモーメントＴ３に対しては、モーメントＴ３に抗するように、ドア面９１からの摩擦力Ｒ３が基板２３０のドア接触部２３２Ａを介してドアストッパー２０１に作用しているが、この摩擦力Ｒ３は、ドアストッパー１の湾曲面１１とドア面９１との間に作用する摩擦力Ｒ２（図５参照）に比べて小さいため、ドアストッパー２０１は、モーメントＴ３に抗しきれずに左回りに回動していく（左側に傾斜していく）。
【００４０】
その後、ドアストッパー２０１が左回りに回動していくと、やがて、図８に示すように、湾曲面１１がドア接触部１６においてドア面９１に接触する。より具体的には、湾曲面１１の床接触部１７が床面Ｕに接触するとともに、ドア接触部１６がドア面９１に接触する。この状態では、ドアストッパー２０１は床接触部１７を介して大きな摩擦力Ｒ１を床面Ｕから受けるため、ドアストッパー２０１が左側に移動することが妨げられる。また、ドア９０からの力Ｐは、ドア接触部１６から床接触部１７に向って作用する力と、この力に垂直な方向に作用する力Ｆ４に分解できるところ、ドアストッパー２０１は、この力Ｆ４によって床接触部１７を中心とする左回りのモーメントＴ４を受けている。しかしながら、このモーメントＴ４に対しては、ドア面９１からの大きな摩擦力Ｒ２がドア接触部１６を介してドアストッパー２０１に作用するため、ドアストッパー２０１がモーメントＴ４によって左回りに回動することも妨げられる。このように、図８の状態では、ドアストッパー２０１がドア９０に押されて移動することも回動することもないため、ドア９０は、ドアストッパー２０１によってその場に押し留められて（すなわち、床接触部１７と床面Ｕとが接触した状態で）係止される。
【００４１】
以上のように、ドアストッパー２０１によれば、相対的に摩擦力が小さい基板２３０がドア９０に最初に接触することにより、ドアストッパー２０１が一定の距離だけ回動し、先端部１３と異なる床接触部１７が床面Ｕに接触した時点でドア９０が係止されることになる。換言すれば、ドア９０が係止された時点における床面Ｕとの接触部が、先端部１３と異なる床接触部１７になるため、先端部１３が摩耗したり、先端部１３のみに床面Ｕの塵や埃が付着したりしてしまうことが防止される。したがって、本実施形態によれば、ドア係止効果を長期にわたって維持することができる。
【００４２】
なお、ドアストッパー２０１において持ち手２０と基板２３０とを一体的に成形してもよい。これにより、ドアストッパー２０１の製造コストを低減することができる。
【００４３】
また、上述のドアストッパー２０１の例では、基板２３０を円板状に形成したが、基板２３０が基底部２７０の外側に張り出しているのであれば、基板２３０が必ずしも円板である必要はない。
【００４４】
なお、上述の第２の実施形態に係るドアストッパー２０１においては、第１の付加部材が円柱状の部材（円柱部２１）として構成されているが、例えば、デザイン等の観点から第１の付加部材の形状を適宜変更してもよい。例えば、以下に説明する第３の実施形態におけるドアストッパー１０１を構成してもよい。
【００４５】
ここで、図９はドアストッパー１０１を模式的に示す斜視図、図１０はドアストッパー１０１を示す縦断面図である。図９及び図１０に示すように、ドアストッパー１０１は、中心線Ｑ３（第１の直線）に対して軸対称に形成されており、本体部１０と、本体部１０から突出方向Ｊに突出するドーム部１２０（第１の付加部材）とを備えている。このドーム部１２０は、ドアストッパー２０１の基板２３０と同様に、本体部１０と比べて床面やドア面に対して小さな摩擦力を呈するように形成されている。
【００４６】
図９及び図１０に示すように、ドアストッパー１０１のドーム部１２０は、下側の部分が欠けた中空の部分楕円体として形成されており、ドアストッパー１と同様に、本体部１０に比べて極めて軽量に形成されている。また、このドーム部１２０は、本体部１０の平面１２（本体部１０の最大膨出部）における縁部１２Ａからさらに膨出した後、次第に収縮するように形成されている。そして、このようなドーム部１２０の頂部１２２は、平面１２の中心Ｃを通り平面１２に垂直な中心線Ｑ３上に位置している。
【００４７】
以上のように、ドアストッパー１０１は、中心線Ｑ３に対して軸対称の外形を有するように、かつドーム部１２０が本体部１０に比べて軽量になるように形成されている。そして、図１０に示すように、ドアストッパー１０１は、中心線Ｑ３上であって本体部１０の内側に重心Ｍを有している。したがって、このドアストッパー１０１によれば、ドアストッパー１，２０１と同様に、優れた設置容易性及び衛生性を実現することができる。
【００４８】
また、ドアストッパー１０１は、本体部１０の最大膨出部（平面１２）よりもさらに膨出するドーム部１２０を有しているため、開閉するドアは、最初にドーム部１２０の最大膨出部１２３（図９及び図１０参照）に接触することとなる。ここで、ドーム部１２０は、本体部１０と比べてドア面に対して小さな摩擦力しか呈さないため、ドアがドーム部１２０の最大膨出部１２３に接触した後、ドアストッパー２０１と同様に動作する。
【００４９】
より具体的には、ドア面がドーム部に接している状態では、ドーム部１２０にはドア面からの小さな摩擦力しか作用しないため、ドアストッパー１０１は本体部１０の球面に沿って回動する。その後、ドアストッパー１０１が回動して本体部１０がドア面に接触すると、該ドア面と床面との双方から大きな摩擦力を受けることにより、ドアストッパー１０１の移動及び回動が妨げられるため、ドアがその場に係止される。
【００５０】
このように、ドアストッパー１０１は、ドアストッパー２０１と同様に、一定の距離だけ回動した後にドアを係止するように構成されているため、本体部１０の先端部１３が摩耗したり、先端部１３のみに床面の塵や埃が付着したりしてしまうことが防止される。したがって、本実施形態によれば、ドア係止効果を長期にわたって維持することができる。
【００５１】
なお、上述の第１ないし第３の実施形態では、本体部（又は基底部）を半球形に形成したが、本体部（又は基底部）を半球以外の球欠形状に形成してもよいし、あるいは、半楕円体に形成してもよい。また、ドアストッパーが、１）水平面とドア面との双方に接触可能な湾曲面を有し、かつ、２）基準状態において床接触部を通り上述の突出方向に延びる直線上であって、かつ傾斜状態から基準状態に復帰するように作用する位置に重心を有しているならば、付加部や本体部を非対称な外形に形成することも可能である。
【００５２】
これまで本発明の好ましい実施形態について説明したが、本発明は上述の実施形態に限定されず、その技術的思想の範囲内において種々異なる形態にて実施されてよいことは言うまでもない。
【００５３】
なお、本明細書において使用した用語「下」、「上」、「底」、「トップ」、「上方」、「下方」、「上側」、「下側」、その他の位置関係を示す用語は、図示した実施形態との関連において使用されているのであり、装置の相対的な位置関係によって変化するものである。
【符号の説明】
【００５４】
１      ドアストッパー
１０      本体部
１１      湾曲面
１２      平面（本体部の最大膨出部）
１２Ａ    縁部
１３      先端部（第１の接触部）
１５      ドア接触部
１４      第２の接触部
１６      ドア接触部
１７      床接触部
２０      持ち手
２１      円柱部（第１の付加部材）
２２      突出部（第２の付加部材）
９０      ドア
９１      ドア面
１０１      ドアストッパー
１２０      ドーム部（第１の付加部材）
１２２      頂部
１２３      ドーム部の最大膨出部
２０１      ドアストッパー
２１０      本体部
２３０      基板
２３１      上面
２３２      外縁部
２３２Ａ    ドア接触部
２７０      基底部
Ｍ      重心
Ｑ１    中心線（第１の直線）
Ｑ２    第２の直線
Ｑ３    中心線（第１の直線）
【図１】
2018204305.tif 000003
【図２】
2018204305.tif 000004
【図３】
2018204305.tif 000005
【図４】
2018204305.tif 000006
【図５】
2018204305.tif 000007
【図６】
2018204305.tif 000008
【図７】
2018204305.tif 000009
【図８】
2018204305.tif 000010
【図９】
2018204305.tif 000011
【図１０】
2018204305.tif 000012